(57)【要約】【課題】  ディスクアレイ装置（ＲＡＩＤ）において、物理ディスクを増やさずに重要なデータだけを保護レベルを高くし、物理ディスクが多重障害になっても重要なデータを復旧できること。【解決手段】ＨＤＤ１台故障まで復旧可能な論理ドライブ（Ｐ）、ＨＤＤ２台故障まで復旧可能な論理ドライブ（Ｑ）、ＨＤＤＮ−１台（Ｎ：論理ドライブを構成するＨＤＤ数）故障まで復旧可能な論理ドライブ（Ｒ）を有し、論理ドライブ（Ｐ）をユーザが主にアクセスする論理ドライブと定義し、「ファイルアクセス監視サービス」が論理ドライブ（Ｐ）にある全てのユーザファイルの監視を行い、最近アクセスした論理ドライブ（Ｐ）のファイルを論理ドライブ（Ｑ）に移動し、ユーザが指定した論理ドライブ（Ｐ）のファイルを論理ドライブ（Ｒ）に移動し、ＨＤＤ複数台障害発生後に論理ドライブ（Ｑ）、論理ドライブ（Ｒ）のファイルを論理ドライブ（Ｐ）にリストアする。【選択図】図１
2011013992.tif 000002
【特許請求の範囲】
【請求項１】
ＨＤＤ１台故障まで復旧可能な論理ドライブと、
ＨＤＤ２台故障まで復旧可能な論理ドライブと、
ＨＤＤＮ−１台（Ｎ：論理ドライブを構成するＨＤＤ数）故障まで復旧可能な論理ドライブと、
ＨＤＤ１台故障まで復旧可能な論理ドライブ中のファイルアクセスを監視するファイルアクセス監視サービスとを備えるディスクアレイ。
【請求項２】
前記ＨＤＤ１台故障まで復旧可能な論理ドライブは、ＲＡＩＤレベルがＲＡＩＤ５、またはＲＡＩＤ１０であり、ユーザが主にアクセスすることを特徴とする請求項１記載のディスクアレイ。
【請求項３】
前記ＨＤＤ２台故障まで復旧可能な論理ドライブは、ＲＡＩＤレベルがＲＡＩＤ６であり、最近アクセスした請求項２のディスクアレイ中のファイルを保持する請求項２記載のディスクアレイ。
【請求項４】
ＨＤＤＮ−１台（Ｎ：論理ドライブを構成するＨＤＤ数）故障まで復旧可能な論理ドライブは、ＨＤＤＮ台全てに同一データを保持するＲＡＩＤであり、ユーザがデータ保護指定した請求項２のディスクアレイ中のファイルを保持する請求項２記載のディスクアレイ。
【請求項５】
ＨＤＤ１台故障まで復旧可能な論理ドライブと、ＨＤＤ２台故障まで復旧可能な論理ドライブと、ＨＤＤＮ−１台（Ｎ：論理ドライブを構成するＨＤＤ数）故障まで復旧可能な論理ドライブと、ＨＤＤ１台故障まで復旧可能な論理ドライブ中のファイルアクセスを監視するファイルアクセス監視サービスとを備えるディスクアレイを有するディスクアレイシステムにおいて、
前記ファイルアクセス監視サービスは、
前記ＨＤＤ１台故障まで復旧可能な論理ドライブである第１のディスクアレイ中にある全てのユーザファイルのアクセス監視を、ファイルアクセスの管理テーブルであるファイルアクセス管理テーブルを用いて行い、
最近アクセスした前記第１のディスクアレイ中のファイルを、前記ＨＤＤ２台故障まで復旧可能な論理ドライブである第２のディスクアレイにバックアップする
ことを特徴とするディスクアレイシステム。
【請求項６】
前記ファイルアクセス監視サービスは、
前記第１のディスクアレイ中にある全てのユーザファイルのアクセス監視をファイルアクセスの管理テーブルであるファイルアクセス管理テーブルを用いて行い、
最近アクセスした前記第１のディスクアレイ中のファイルのうち、ユーザが指定した前記第１ののディスクアレイ中のファイルをユーザが指定したディレクトリの管理テーブルであるユーザ指定ディレクトリ管理テーブルを用いて、ＨＤＤＮ−１台（Ｎ：論理ドライブを構成するＨＤＤ数）故障まで復旧可能な論理ドライブである第３のディスクアレイにバックアップする請求項５記載のディスクアレイシステム。
【請求項７】
前記ファイルアクセス監視サービスは、
前記第１のディスクアレイの状態を監視し、
ＨＤＤ複数台障害復旧後に、前記第２のディスクアレイ及び前記第３のディスクアレイ中の全てのファイルを、前記第１のディスクアレイにリストアする請求項５記載のディスクアレイシステム。
【発明の詳細な説明】
【技術分野】
【０００１】
本発明は、ディスクアレイ（ＲＡＩＤ）のデータ保護技術に関し、物理ディスク多重障害に対して、自動バックアップ、自動復旧を行う技術に関する
【背景技術】
【０００２】
現在のディスクアレイ（ＲＡＩＤ）のデータ保護技術は、ディスクアレイ（ＲＡＩＤ）のＲＡＩＤレベルを変えることにより実現している。また、重要なデータとそうでないデータを区別して管理するには、物理ディスクを増やしてデータ保護レベルを分けることにより実現していた。
【先行技術文献】
【特許文献】
【０００３】
【特許文献１】特開２００１−１４７７８５号公報
【特許文献２】特開平８−１９４５８６号公報
【発明の概要】
【発明が解決しようとする課題】
【０００４】
しかし、上記の手法は、ＲＡＩＤレベルを変えるとディスクアレイ（ＲＡＩＤ）に格納される全てのデータに対して同一レベルのデータ保護を行うことになり、物理ディスクの価格に対するデータ保護の柔軟性、コストパフォーマンスが低かった。
【０００５】
例えば、特許文献１による方法では、データ保護レベルの決定方法が、システム中の１つ以上のディスクが次に故障する可能性という観点で決められており、ユーザが使用する頻度という観点ではない。また、特許文献２による方法では、事前にディスクアレイの使用方法を定義する点は似ているが、本発明は、物理ドライブを増やすことがない。
【０００６】
本発明の主な目的は、ディスクアレイ（ＲＡＩＤ）において、物理ディスクを増やさずに重要なデータだけを保護レベルを高くして自動ファイル保存し、物理ディスク多重障害になっても重要なデータを自動復旧できることにある。
【課題を解決するための手段】
【０００７】
本発明は、ＨＤＤ１台故障まで復旧可能な論理ドライブ（Ｐ）とＨＤＤ２台故障まで復旧可能な論理ドライブ（Ｑ）とＨＤＤＮ−１台（Ｎ：論理ドライブを構成するＨＤＤ数）故障まで復旧可能な論理ドライブ（Ｒ）を持つディスクアレイ（ＲＡＩＤ）とＨＤＤ１台故障まで復旧可能な論理ドライブ中のファイルアクセスを監視する「ファイルアクセス監視サービス」を持つ主記憶装置より構成される。また、本発明は大きく分けて、ファイルアクセス監視処理、ファイル復旧処理に分けることができる。
【０００８】
まず、ファイルアクセス監視処理について説明する。
【０００９】
ディスクアレイ（ＲＡＩＤ）は合計３つあり、１つ目は、ＨＤＤ１台故障まで復旧可能な論理ドライブ（Ｐ）であり、ＲＡＩＤレベルがＲＡＩＤ５、ＲＡＩＤ１０といったレベルであり、ユーザが主にアクセスする為に使用するものとする。２つ目は、ＨＤＤ２台故障まで復旧可能な論理ドライブ（Ｑ）であり、ＲＡＩＤレベルがＲＡＩＤ６であり、最近アクセスした論理ドライブ（Ｐ）中のファイルを保持する。３つ目は、ＨＤＤＮ−１台（Ｎ：論理ドライブを構成するＨＤＤ数）故障まで復旧可能な論理ドライブは（Ｒ）であり、ＨＤＤＮ台全てに同一データを保持するＲＡＩＤであり、ユーザがデータ保護指定した論理ドライブ（Ｐ）中のファイルを保持する。３つのディスクアレイ（ＲＡＩＤ）の制御は、ＲＡＩＤファームウェアが行う。
【００１０】
主記憶装置は、ＯＳのサービスプログラムの１つとして「ファイルアクセス監視サービス」を持ち、論理ドライブ（Ｐ）のファイルアクセスを監視する。ファイルアクセスの監視は、ＯＳが所有しているファイルシステム操作のＡＰＩを通じて行う。「ファイルアクセス監視サービス」は、ＯＳからファイルアクセスの更新イベントを受け取ると、アクセスが発生したファイル  Ｆ１の「ファイルＩＤ」「ディレクトリ」を受け取り、「ファイルアクセス管理テーブル」に登録する。次に、ファイル  Ｆ１が、ユーザが事前にデータ保護指定として「ユーザ指定ディレクトリ管理テーブル」に登録した論理ドライブ（Ｐ）中のディレクトリ配下のファイルであれば、ファイル  Ｆ１のディレクトリのドライブレターを（Ｐ）から（Ｒ）に変更して論理ドライブ（Ｒ）に移動する。このとき、ファイル  Ｆ１を論理ドライブ（Ｐ）のパスから論理ドライブ（Ｒ）のパスにリンクする。このことにより、ユーザはファイルの移動を意識することがなく、論理ドライブ（Ｐ）中にあるファイルのみを操作していれば良い。以上により、ファイル  Ｆ１はＨＤＤＮ−１台（Ｎ：論理ドライブを構成するＨＤＤ数）故障が発生しても復旧することができる。
【００１１】
次に、ファイル  Ｆ１のディレクトリのドライブレターを（Ｐ）から（Ｑ）に変更して論理ドライブ（Ｑ）に移動する。このとき、ファイル  Ｆ１を論理ドライブ（Ｐ）のパスから論理ドライブ（Ｑ）のパスにリンクする。論理ドライブ（Ｐ）にファイル  Ｆ１を残さないのは、ファイル  Ｆ１への書込み発生時に複数論理ドライブへのデータ書込みを減らし性能を低下させない目的がある。以上により、ファイル  Ｆ１はＨＤＤ２台故障が発生しても復旧することができる。
【００１２】
また、「ファイルアクセス監視サービス」は、論理ドライブ（Ｑ）にあるファイルのアクセス日付を定期的に監視し、現在の時刻に対してユーザが定める一定期間（例：３ヶ月）を超えると、論理ドライブ（Ｐ）のリンクを削除し、論理ドライブ（Ｑ）から論理ドライブ（Ｐ）に移動する。論理ドライブ（Ｑ）は論理ドライブ（Ｐ）の電源ＯＦＦでも保存可能なキャッシュの役割を果たす。以上により、ファイルアクセス監視処理がリアルタイムに行われる。
【００１３】
次にファイル復旧処理について説明する。
【００１４】
主記憶装置にある「ファイルアクセス監視サービス」は、論理ドライブ（Ｐ）の状態を監視し、正常であれば、「ファイルアクセス管理テーブル」により現在論理ドライブ（Ｑ）にある全てのファイルを検索し、論理ドライブ（Ｐ）の該当ファイルへのリンクを削除し、ディレクトリのドライブレターを（Ｑ）から（Ｐ）に変更して論理ドライブ（Ｐ）に移動する。論理ドライブ（Ｒ）にある全てのファイルも同様に行う。以上により、ファイル復旧を行う。
【００１５】
主記憶装置にある「ファイルアクセス監視サービス」は、３つのディスクアレイ（ＲＡＩＤ）上で監視する必要がある為、ＯＳディスクは３つのディスクアレイとは別に作成する必要がある。また、論理ドライブ（Ｐ）上のファイルはＨＤＤ１台故障までのデータ保護レベルであるが、ユーザが定めた論理ドライブ（Ｑ）上のデータ保護期間（例：３ヶ月）単位に論理ドライブ（Ｐ）をバックアップすることで、古いデータも復旧可能である。
【発明の効果】
【００１６】
本発明によれば、ディスクアレイ（ＲＡＩＤ）において、物理ディスクを増やさずに重要なデータだけを保護レベルを高くして自動ファイル保存し、物理ディスク多重障害になっても重要なデータを自動復旧できる。
【図面の簡単な説明】
【００１７】
【図１】本発明の特徴を最も良く表している「ファイルアクセス監視サービス」のファイルアクセス監視処理の概要図。
【図２】「ファイルアクセス監視サービス」がファイルアクセス監視処理で使用する「ファイルアクセス管理テーブル」。
【図３】「ファイルアクセス監視サービス」がファイルアクセス監視処理で使用する「ユーザ指定ディレクトリ管理テーブル」。
【図４】「ファイルアクセス監視サービス」のファイル監視処理のフローチャート（論理ドライブ（Ｐ）から論理ドライブ（Ｑ／Ｒ））。
【図５】「ファイルアクセス監視サービス」のファイル監視処理のフローチャート（論理ドライブ（Ｑ）から論理ドライブ（Ｐ））。
【図６】「ファイルアクセス監視サービス」がファイル復旧処理のフローチャート。
【発明を実施するための形態】
【００１８】
（構成の説明）
以下、発明の実施例について図面を用いて説明する。
【００１９】
図１は、本発明の特徴を最も良く表している「ファイルアクセス監視サービス」のファイルアクセス監視処理の概要図、図２は、「ファイルアクセス監視サービス」がファイルアクセス監視処理で使用する「ファイルアクセス管理テーブル」、図３は、「ファイルアクセス監視サービス」がファイルアクセス監視処理で使用する「ユーザ指定ディレクトリ管理テーブル」、図４は、「ファイルアクセス監視サービス」のファイル監視処理のフローチャート（論理ドライブ（Ｐ）から論理ドライブ（Ｑ／Ｒ））、図５は「ファイルアクセス監視サービス」のファイル監視処理のフローチャート（論理ドライブ（Ｑ）から論理ドライブ（Ｐ））、図６は、「ファイルアクセス監視サービス」がファイル復旧処理のフローチャートを示している。
【００２０】
１はディスクアレイ（ＲＡＩＤ）、２はＨＤＤ１台故障まで復旧可能な論理ドライブ（Ｐ）、３はＨＤＤ２台故障まで復旧可能な論理ドライブ（Ｑ）、３はＨＤＤＮ−１台（Ｎ：論理ドライブを構成するＨＤＤ数）故障まで復旧可能な論理ドライブ（Ｒ）、５は主記憶装置、６はファイルアクセス監視サービス、７はファイルアクセス管理テーブル、８はユーザ指定ディレクトリ管理テーブル、９はＲＡＩＤファームウェアを示している。
【００２１】
図１において、ファイルアクセス監視サービス６は、ディスクアレイ（ＲＡＩＤ）１中のファイルアクセスを監視する。具体的には、ＯＳが所有しているファイルシステム操作のＡＰＩを通じて行う。（Ｗｉｎｄｏｗｓ（登録商標）  ＯＳの場合  ．ＮＥＴ  Ｆｒａｍｅｗｏｒｋのクラス・ライブラリとしてＦｉｌｅＳｙｓｔｅｍＷａｔｃｈｅｒクラスが用意されており、ファイルやディレクトリのアクセス監視を行うことができる）ファイルアクセス監視サービス６は、ＯＳからファイルアクセスの更新イベントを受け取ると、アクセスが発生したファイル  Ｆ１の「ファイルＩＤ」「ディレクトリ」を受け取り、ファイルアクセス管理テーブル７に登録する。次に、ファイル  Ｆ１が、ユーザが事前にデータ保護指定としてユーザ指定ディレクトリ管理テーブル８に登録した論理ドライブ（Ｐ）２中のディレクトリ配下のファイルであれば、ファイル  Ｆ１のディレクトリのドライブレターを（Ｐ）から（Ｒ）に変更して論理ドライブ（Ｒ）４に移動する。このとき、ファイル  Ｆ１を論理ドライブ（Ｐ）２のパスから論理ドライブ（Ｒ）４のパスにリンクする。ファイルアクセス管理テーブル７  ユーザ指定ディレクトリ管理テーブル８の詳細については後に述べる。
【００２２】
次に、ファイル  Ｆ１のディレクトリのドライブレターを（Ｐ）から（Ｑ）に変更して論理ドライブ（Ｑ）３に移動する。このとき、ファイル  Ｆ１を論理ドライブ（Ｐ）２のパスから論理ドライブ（Ｑ）３のパスにリンクする。また、ファイルアクセス監視サービス６は、論理ドライブ（Ｑ）３にあるファイルのアクセス日付を定期的に監視し、現在の時刻に対してユーザが定める一定期間（例えば、３ヶ月）を超えると、論理ドライブ（Ｐ）２のリンクを削除し、論理ドライブ（Ｑ）３から論理ドライブ（Ｐ）２に移動する。３つのディスクアレイ（ＲＡＩＤ）の制御は、ＲＡＩＤファームウェア９が行う。
【００２３】
図２は、図１で作成したファイルアクセスの管理テーブルを示している。ここでＦｉｌｅＢにアクセスがあった場合、ファイルアクセス監視サービス６はＯＳからＦｉｌｅＢに対するファイルアクセスの更新イベントを受け取ると、ファイルアクセス管理テーブル７を検索し、あれば、論理ドライブ（Ｐ）２から論理ドライブ（Ｑ）３にＦｉｌｅＢを移動した後、論理ドライブ（Ｐ）⇔論理ドライブ（Ｑ）の現在の場所を（Ｐ）から（Ｑ）に変更する。このときＦｉｌｅＢは論理ドライブ（Ｑ）３に存在する。
【００２４】
また、ＦｉｌｅＣにアクセスがあった場合、ＦｉｌｅＣはユーザ指定ディレクトリ管理テーブル８でユーザ指定されたファイルである為、論理ドライブ（Ｐ）２から論理ドライブ（Ｑ）３へＦｉｌｅＣを移動、論理ドライブ（Ｐ）と（Ｑ）間の移動を（Ｐ）から（Ｑ）への変更に加え、論理ドライブ（Ｐ）２から論理ドライブ（Ｒ）４へＦｉｌｅＣを移動、論理ドライブ（Ｐ）と（Ｒ）間の移動を（Ｐ）から（Ｒ）に変更する。このときＦｉｌｅＣは、論理ドライブ（Ｑ）３と論理ドライブ（Ｒ）４の両方に存在する。また、ファイルアクセス監視サービス６はＦｉｌｅＥが論理ドライブ（Ｑ）３で一定期間（例：３ヶ月）アクセスがないことを監視し、論理ドライブ（Ｑ）３から論理ドライブ（Ｐ）２へＦｉｌｅＥを移動し、論理ドライブ（Ｐ）⇔論理ドライブ（Ｑ）を（Ｑ）から（Ｐ）への変更を行う。
【００２５】
図３は、ユーザが事前にデータ保護指定として登録したディレクトリ一覧を示している。ユーザが事前にデータ保護指定したファイルは、ＨＤＤＮ−１台（Ｎ：論理ドライブを構成するＨＤＤ数）故障まで復旧可能な論理ドライブは（Ｒ）４でデータ保護される。
【００２６】
（動作の説明）
図４は、本発明の「ファイルアクセス監視サービス」のファイル監視処理のフローチャート（論理ドライブ（Ｐ）から論理ドライブ（Ｑ／Ｒ））を示している。
【００２７】
Ｓ０１は、論理ドライブ（Ｐ）のファイルアクセスをＯＳが所有しているファイルシステム操作のＡＰＩを通じて取得することを示している。
【００２８】
Ｓ０２は、ＯＳからファイルアクセスの更新イベントを受け取り論理ドライブ（Ｐ）のファイルアクセスがあったかどうかを判定し、アクセスがなければＳ０１へ、アクセスがあれば次のステップへ進むことを示している。
【００２９】
Ｓ０３は、論理ドライブ（Ｐ）へのアクセスがあったファイル  Ｆ１の「ファイルＩＤ」「ディレクトリ」をＯＳが所有しているファイルシステム操作のＡＰＩを通じて取得することを示している。
【００３０】
Ｓ０４は、Ｓ０３で取得した「ファイルＩＤ」を元に「ファイルアクセス管理テーブル」を検索することを示している。
【００３１】
Ｓ０５は、「ファイルアクセス管理テーブル」にＳ０３で取得した「ファイルＩＤ」があるかどうかを判定し、なければＳ０６へ、あればＳ０７へ進むことを示している。
【００３２】
Ｓ０６は、論理ドライブ（Ｐ）へのアクセスがあったファイル  Ｆ１のファイル情報を「ファイルアクセス管理テーブル」に登録することを示している。
【００３３】
Ｓ０７は、Ｓ０３で取得した「ディレクトリ」を元に「ユーザ指定ディレクトリ管理テーブル」を検索することを示している。
【００３４】
Ｓ０８は、Ｓ０７でユーザ指定かどうかを判断し、ユーザ指定であればＳ０９へ、ユーザ指定でなければＳ１３へ進むことを示している。
【００３５】
Ｓ０９は、論理ドライブ（Ｐ）へのアクセスがあったファイル  Ｆ１のディレクトリのドライブレターを（Ｐ）から（Ｒ）に変更することを示している。
【００３６】
Ｓ１０は、Ｓ０９で変更した論理ドライブ（Ｒ）のディレクトリに論理ドライブ（Ｐ）へのアクセスがあったファイル  Ｆ１を移動することを示している。
【００３７】
Ｓ１１は、論理ドライブ（Ｐ）のパスから論理ドライブ（Ｒ）のパスにリンクすることを示している。
【００３８】
Ｓ１２は、「ファイルアクセス管理テーブル」の「現在の場所」「次の場所」を更新することを示している。
【００３９】
Ｓ１３は、論理ドライブ（Ｐ）へのアクセスがあったファイル  Ｆ１のディレクトリのドライブレターを（Ｐ）から（Ｑ）に変更することを示している。
【００４０】
Ｓ１４は、Ｓ１３で変更した論理ドライブ（Ｑ）のディレクトリに論理ドライブ（Ｐ）へのアクセスがあったファイル  Ｆ１を移動することを示している。
【００４１】
Ｓ１５は、論理ドライブ（Ｐ）のパスから論理ドライブ（Ｑ）のパスにリンクすることを示している。
【００４２】
Ｓ１６は、「ファイルアクセス管理テーブル」の「現在の場所」「次の場所」を更新することを示している。
【００４３】
図５は、本発明の「ファイルアクセス監視サービス」のファイル監視処理のフローチャート（論理ドライブ（Ｑ）から論理ドライブ（Ｐ））を示している。
【００４４】
Ｓ０１は、「ファイルアクセス管理テーブル」の論理ドライブ（Ｑ）にあるファイルＦ２を監視することを示している。
【００４５】
Ｓ０２は、Ｓ０１で取得した論理ドライブ（Ｑ）にあるファイルＦ２のアクセス日付が３ヶ月以上であればＳ０３へ、３ヶ月以内であればＳ０１へ戻ることを示している。
【００４６】
Ｓ０３は、論理ドライブ（Ｑ）へのアクセスがあったファイル  Ｆ２のディレクトリのドライブレターを（Ｑ）から（Ｐ）に変更することを示している。
【００４７】
Ｓ０４は、論理ドライブ（Ｐ）のパスから論理ドライブ（Ｑ）のパスにあるリンクを削除することを示している。
【００４８】
Ｓ０５は、「ファイルアクセス管理テーブル」の「現在の場所」「次の場所」を更新することを示している。
【００４９】
図６は、本発明の「ファイルアクセス監視サービス」のファイル復旧のフローチャートを示している。
【００５０】
Ｓ０１は、ＲＡＩＤファームウェアに問合せして論理ドライブ（Ｐ）の状態を監視することを示している。
【００５１】
Ｓ０２は、Ｓ０１で取得した論理ドライブ（Ｐ）の状態が正常であればＳ０３へ、正常でなければ終了することを示している。
【００５２】
Ｓ０３は、「ファイルアクセス管理テーブル」の論理ドライブ（Ｑ）にあるファイル  Ｆ２を検索することを示している。
【００５３】
Ｓ０４は、Ｓ０３で取得した論理ドライブ（Ｑ）にある全てのファイル  Ｆ２のディレクトリのドライブレターを（Ｑ）から（Ｐ）に変更することを示している。
【００５４】
Ｓ０５は、Ｓ０３で取得した論理ドライブ（Ｑ）にある全てのファイル  Ｆ２をＳ０４のディレクトリに移動することを示している。
【００５５】
Ｓ０６は、「ファイルアクセス管理テーブル」の論理ドライブ（Ｒ）にあるファイル  Ｆ３を検索することを示している。
【００５６】
Ｓ０７は、Ｓ０６で取得した論理ドライブ（Ｒ）にある全てのファイル  Ｆ３のディレクトリのドライブレターを（Ｒ）から（Ｐ）に変更することを示している。
【００５７】
Ｓ０８は、Ｓ０６で取得した論理ドライブ（Ｒ）にある全てのファイル  Ｆ３をＳ０７のディレクトリに移動することを示している。
【００５８】
Ｓ０９は、「ファイルアクセス管理テーブル」のデータをクリアすることを示している。
【符号の説明】
【００５９】
１・・・ディスクアレイ（ＲＡＩＤ）、２・・・ＨＤＤ１台故障まで復旧可能な論理ドライブ（Ｐ）、３・・・ＨＤＤ２台故障まで復旧可能な論理ドライブ（Ｑ）、４・・・ＨＤＤＮ−１台（Ｎ：論理ドライブを構成するＨＤＤ数）故障まで復旧可能な論理ドライブ（Ｒ）、５・・・主記憶装置、６・・・ファイルアクセス監視サービス、７・・・ファイルアクセス管理テーブル、８・・・ユーザ指定ディレクトリ管理テーブル、９・・・ＲＡＩＤファームウェア
【図１】
2011013992.tif 000003
【図２】
2011013992.tif 000004
【図３】
2011013992.tif 000005
【図４】
2011013992.tif 000006
【図５】
2011013992.tif 000007
【図６】
2011013992.tif 000008